(57)【要約】  少なくとも１つの心音信号を処理する方法であって、少なくとも１つの心音信号を受信するステップ（１１）と、心音信号を複数のセグメントにセグメント化するステップ（１２）と、各々のセグメントについての属性情報を特定するステップ（１３）と、各々のセグメントに対応する属性情報を注釈付けするステップ（１４）と、少なくとも１つの心音信号について注釈付けされた心音図を出力するステップ（１５）とを有する方法を提供する。本発明は、上記の方法のステップを実行する処理システムも提供する。
2012513858.tif 000002
【特許請求の範囲】
【請求項１】
少なくとも１つの心音信号を処理する方法であって：
前記少なくとも１つの心音信号を受信するステップ；
前記心音信号を複数のセグメントにセグメント化するステップ；
各々のセグメントについての属性情報を特定するステップ；
各々のセグメントに対応する属性情報を注釈付けするステップ；及び
前記少なくとも１つの心音信号について注釈付けされた心音図を出力するステップ；
を有する方法。
【請求項２】
請求項１に記載の方法であって、前記セグメント化するステップは、
セグメントの平均振幅変化率が所定の変化率閾値より大きい場合に、前記心音信号の波域を選択するためにバンドパスフィルタにより前記心音信号をフィルタリングして、前記波域からセグメントを抽出するステップであって、前記波域は所定の周波数領域である、ステップ、又は
前記心音信号のピーク点の周囲の領域の平均振幅が所定の振幅閾値を上回る場合に、エンベログラムに前記心音信号をフィルタリングして、前記エンベログラムからセグメントを抽出するステップ
により少なくとも１つの心音信号をセグメント化するように意図されている、方法。
【請求項３】
請求項１に記載の方法であって、前記特定するステップは、各々のセグメントの波形に従った各々のセグメントの属性情報、複数のセグメントの関係、又は心電図の前記少なくとも１つの心音信号の心音図との組み合わせを特定するように意図されていて、前記心電図の信号は前記少なくとも１つの心音信号と同期する、方法。
【請求項４】
請求項１に記載の方法であって；
前記少なくとも１つの心音信号が複数の心音信号を有し、前記複数の心音信号が異なる複数の心音源のそれぞれからもたらされる場合に、比較結果を得るように、２つの注釈付けされた心音図を比較するステップ；
を更に有する方法であり、
前記注釈付けするステップは、比較心音図を生成するように、互いに比較される前記２つの注釈付けされた心音図の何れかの一に関する前記比較結果を注釈付けするように更に意図されていて；
前記出力するステップは、前記比較心音図を出力するように意図されている；
方法。
【請求項５】
請求項１に記載の方法であって；
前記心音信号から心周期サンプルを抽出することにより前記心音信号についての心拍情報テーブルを生成するステップであって、前記心拍情報テーブルは異なる心拍カテゴリ、各々の心拍カテゴリについての典型的な心周期心音図、及び各々の心拍についての注釈付けされた心周期心音図を有する、ステップ；
を更に有する方法であり、
前記出力するステップは、前記心音信号についての前記心拍情報テーブルを出力するように意図されている；
方法。
【請求項６】
請求項５に記載の方法であって、前記生成するステップは、前記少なくとも１つの心音信号の前記心音図と前記心電図を組み合わせることにより前記信州器サンプルを抽出するように意図され、前記心電図の信号は前記少なくとも１つの心音信号と同期している、方法。
【請求項７】
請求項６に記載の方法であって、前記生成するステップは：
各々の心周期についての心拍を演算し；
前記信州器サンプルを異なる心拍カテゴリに分類し；
前記心拍カテゴリについての典型的な心周期心音図を生成するように同じ心拍カテゴリの全ての心周期サンプルを共に加えることによりノイズを除き；及び
前記心拍情報テーブルを生成する；
ように意図されている、方法であり、
同じ心拍カテゴリにおける複数の心周期サンプルは同じ心拍を有する；
方法。
【請求項８】
請求項１に記載の方法であって、前記属性情報は、各々のセグメントの種類、各々のセグメントの持続時間、各々のセグメントのタイミング、各々のセグメントの振幅、及び／又は各々のセグメントの強度を有する、方法。
【請求項９】
少なくとも１つの心音信号を処理する処理システムであって：
前記少なくとも１つの心音信号を受信する受信ユニット；
前記心音信号を複数のセグメントにセグメント化するセグメント化ユニット；
各々のセグメントについての属性情報を特定する特定化ユニット；
各々のセグメントに対応する属性情報を注釈付けする注釈付けユニット；及び
前記少なくとも１つの心音信号について注釈付けされた心音図を出力する出力ユニット；
を有する処理システム。
【請求項１０】
請求項９に記載の処理システムであって、前記セグメント化ユニットは、
セグメントの平均振幅変化率が所定の変化率閾値より大きい場合に、前記心音信号の波域を選択するためにバンドパスフィルタにより前記心音信号をフィルタリングして、前記波域からセグメントを抽出し；
前記心音信号のピーク点の周囲の領域の平均振幅が所定の振幅閾値を上回る場合に、エンベログラムに前記心音信号をフィルタリングして、前記エンベログラムからセグメントを抽出する；
ことにより、少なくとも１つの心音信号をセグメント化するように意図されている、処理システムであり、
前記波域は所定の周波数領域である；
処理システム。
【請求項１１】
請求項９に記載の処理システムであって、前記特定化ユニットは、各々のセグメントの波形に従った各々のセグメントの属性情報、複数のセグメントの関係、又は心電図の前記少なくとも１つの心音信号の心音図との組み合わせを特定するように意図されていて、前記心電図の信号は前記少なくとも１つの心音信号と同期する、処理システム。
【請求項１２】
請求項９に記載の処理システムであって；
前記少なくとも１つの心音信号が複数の心音信号を有し、前記複数の心音信号が異なる複数の心音源のそれぞれからもたらされる場合に、比較結果を得るように、２つの注釈付けされた心音図を比較する比較ユニット；
を更に有する処理システムであり、
前記注釈付けユニットは、比較心音図を生成するように、互いに比較される前記２つの注釈付けされた心音図の何れかの一に関する前記比較結果を注釈付けするように更に意図されていて；
前記出力ユニットは、前記比較心音図を出力するように意図されている；
処理システム。
【請求項１３】
請求項９に記載の処理システムであって；
前記心音信号から心周期サンプルを抽出することにより前記心音信号についての心拍情報テーブルを生成する生成ユニットであって、前記心拍情報テーブルは異なる心拍カテゴリ、各々の心拍カテゴリについての典型的な心周期心音図、及び各々の心拍についての注釈付けされた心周期心音図を有する、生成ユニット；
を更に有する処理システムであり、
前記出力ユニットは、前記心音信号についての前記心拍情報テーブルを出力するように意図されている；
処理システム。
【請求項１４】
請求項１３に記載の処理システムであって、前記生成ユニットは：
前記少なくとも１つの心音信号の前記心音図と前記心電図を組み合わせることにより前記信州器サンプルを抽出し；
各々の心周期についての心拍を演算し；
前記信州器サンプルを異なる心拍カテゴリに分類し；
前記心拍カテゴリについての典型的な心周期心音図を生成するように同じ心拍カテゴリの全ての心周期サンプルを共に加えることによりノイズを除き；
前記心拍情報テーブルを生成する；
ように意図されている処理システムであり、
前記心電図の信号は前記少なくとも１つの心音信号と同期し；
同じ心拍カテゴリにおける複数の心周期サンプルは同じ心拍を有する；
処理システム。
【請求項１５】
検出装置；及び
前記検出装置に請求項９乃至１４の何れか一項に記載の処理システムを接続するコネクタ；
を有する聴診器。
【発明の詳細な説明】
【技術分野】
【０００１】
本発明は、音信号を処理する方法及びシステムに関し、特に、心音信号を処理する方法及びシステムに関する。
【背景技術】
【０００２】
異なる心音源に基づいて、聴診器から検出された心音信号は、異なる種類のセグメントであって、例えば、僧帽弁及び三尖弁の閉鎖によりもたらされるＳ１セグメント、大動脈弁及び肺弁の閉鎖によりもたらされるＳ２セグメント、早期心拡張中の高速心室充満によりもたされるＳ３セグメント、拡張した心室に血液を移動させる心室収縮によりもたらされるＳ４セグメント、及び雑音は、血液の乱流によりもたらされ得る。異なる種類のセグメントはときどき、異なる特定の異常心音を反映し得る。更に、心音信号は、複数の心周期（心拍動）も構成し得、一部の異常な心音は一部の特定の心周期のみにより反映され得る。
【０００３】
従来の聴診器により心音を聴く場合、ひとは、彼／彼女の経験に依存した一般的な診断を行い得る。しかしながら、彼／彼女が聴診の分野で経験が豊富であったとしても、人間の聴覚には限界があるため、一部の特定の心音源又は心音周期によりもたらされる異常心音について、ひとが正確に診断することはかなり困難である。
【０００４】
過去何年かの間、ディジタル聴診器が正確な且つ高信頼性のＰＣＧ（心音図）を出力する多くの技術が開発されてきていて、故に、ひとは、聴くことに代えて、ＰＣＧに基づいて診断することが可能になっている。今日のディジタル聴診器により出力されたＰＣＧは殆どが生ＰＣＧである。生ＰＣＧに基づく場合、ひとは、大部分は彼／彼女の経験により一部の特定の心音源又は一部の特定の心周期によってもたらされる異常心音を尚も、特定しなければならない。
【０００５】
従って、今日のディジタル聴診器は、正確に且つ簡便に診断を行うようにひとを支援するためのかなりインテリジェントな適用を提供するものではない。
【発明の概要】
【発明が解決しようとする課題】
【０００６】
本発明の目的は、少なくとも１つのかなり理解可能な心音図を出力するように、少なくとも１つの心音信号を処理する方法を提供することである。
【課題を解決するための手段】
【０００７】
本発明は、少なくとも１つの心音信号を処理する方法であって、
−  少なくとも１つの心音信号を受信するステップ、
−  その心音信号を複数のセグメントにセグメント化するステップ、
−  各々のセグメントについての属性情報を特定するステップ、
−  各々のセグメントに対応する属性情報を注釈付けるステップ、及び
−  その少なくとも１つの心音信号について注釈付けされた心音図を出力するステップ、
を有する方法を提供する。
【０００８】
本発明の有利点は、注釈付けされた心音図がかなり理解可能であり、故に、ひとは、より正確に且つ簡便に診断することができる。
【０００９】
本発明の他の実施形態においては、その方法は、少なくとも１つの心音信号が複数の心音信号を有し、複数の心音信号が異なる心音源のそれぞれからもたらされる場合に、比較結果を得るように２つの注釈付けされた心音図を比較するステップも有し、
−  注釈付けするステップは更に、比較心音図を構成するように互いに比較される心音図の何れかの一に関する比較結果を注釈付けるように意図され、
−  出力ステップは更に、比較心音図を出力するように意図されている。
【００１０】
本発明の有利点は、比較ＰＣＧに基づいて、２つの注釈付けされたＰＣＧが、ひとが診断を行うより正確な情報を提供するように、互いに補うことである。
【００１１】
本発明の更なる実施形態においては、その方法は、心音信号から心周期サンプルを抽出することにより少なくとも１つの心音信号についての心拍情報を生成するステップも有し、心拍情報テーブルは、異なる心拍カテゴリと、各々の心拍カテゴリについての典型的な心周期心音図と、各々の心拍についての注釈付けされた心周期心音図とを有する。出力するステップは更に、心音信号についての心拍情報テーブルを出力するように意図されている。
【００１２】
本発明の有利点は、心拍情報テーブルに基づいて、ひとが異常心音を容易に特定することが可能であり、患者の心臓の状態が悪化した心拍において更に学習することが可能であることである。
【００１３】
本発明はまた、上記方法のステップを実行する処理システムを提供する。
【００１４】
他の特徴を含む本発明の詳細については、以下で説明する。
【００１５】
本発明の上記の目的及び特徴並びに他の目的及び特徴については、添付図に関連付けた以下の詳細説明により十分に理解することができる。
【図面の簡単な説明】
【００１６】
【図１】本発明に従った方法の実施形態を示す模式図である。
【図２】心音信号についての生心音図を示すグラフである。
【図３】複数の心音信号についての複数の生心音図を示すグラフである。
【図４】セグメント化された心音信号を示すグラフである。
【図５】セグメントの各々の間隔範囲の出現頻度を示す統計的ヒストグラムである。
【図６】心電図と対応する同期された心音図との間の関係を示すグラフ図である。
【図７】２つの注釈付けされた心音図である。
【図８】複数の心音信号を検出する複数のセンサの配置の模式図である。
【図９】大動脈領域の心音図及び三尖弁心音図についての組み合わされた心音図である。
【図１０】Ｒ波に基づく心音信号から心周期サンプルを抽出することを示すグラフである。
【図１１】心拍情報テーブルを示す図である。
【図１２】聴診器の模式図である。
【図１３】図１２の聴診器の実施形態に従って、少なくとも１つの心音信号を処理する処理システムを示す図である。
【発明を実施するための形態】
【００１７】
本発明の方法は、より理解可能な心音図（以下では、ＰＣＧという）を出力する少なくとも１つの心音信号を処理することであり、故に、人間は、便利に且つ正確に診断することが可能である。
【００１８】
図１は、本発明に従った方法の一実施形態を示す模式図である。少なくとも１つの心音信号を処理する方法は、
−  少なくとも１つの心音信号を受信するステップ１１と、
−  少なくとも１つの心音信号を複数のセグメントにセグメント化するステップ１２と、
−  各々のセグメントの属性情報を特定するステップ１３と、
−  各々のセグメントに対応する属性情報を注記付けるステップと、
−  複数のセグメントについて註釈付けされたＰＣＧを出力するステップと、
を有する。
【００１９】
（１）少なくとも１つの心音信号を受信するステップ１１
少なくとも１つの心音信号は、１つの心音信号、又は異なる心音源からもたらさえる複数の心音を有することが可能である。複数の心音信号は２つ又はそれ以上の心音信号であることが可能である。各々の心音信号は、僧帽領域、三尖弁領域、大動脈領域、肺領域等の心音源に位置付けられた音センサにより検出される。
【００２０】
図２は、心音信号についての生ＰＣＧを示すグラフであり、図３は、複数の心音信号についての複数の生ＰＣＧを示すグラフである。
【００２１】
心音信号は、異なる種類の信号セグメントであって、例えば、Ｓ１セグメント、Ｓ２セグメント、Ｓ３セグメント、Ｓ４セグメント、雑音セグメントに属する複数のセグメントを有することが可能である。Ｓ１は、僧帽弁及び三尖弁の閉鎖によりもたらされ、Ｓ２は、大動脈弁及び肺動脈弁の閉塞中に起こり、Ｓ３は、早期心拡張中の高速心室充満によるものであり、Ｓ４は、拡張した心室に血液を移動させる心室収縮の結果として生じ、雑音は、血液の乱流によりもたらされ得るものである。Ｓ１は更に、僧帽弁によりもたらされるＭ１及び三尖弁によりもたらされるＴ１を更に有することが可能であり、Ｓ２は、大動脈弁によりもたらされるＡ２及び肺動脈弁によりもたらされるＰ２を更に有することが可能である。健全な個人にとっては、Ｓ３、Ｓ４及び雑音は通常は聞こえない
（２）少なくとも１つの心音信号を複数のセグメントにセグメント化するステップ１２
少なくとも１つの心音信号が複数の心音信号を有する場合、セグメント化するステップ１２は、複数の心音信号を別個にセグメント化するように用いられる。
【００２２】
セグメント化するステップ１２の第１実施形態は次のステップを有する。
−  心音信号の波帯を選択するバンドパスフィルタにより心音信号をフィルタリングするステップであって、その波帯は所定の周波数範囲である、ステップ。そのフィルタリングするステップは、所定の周波数範囲内の波帯を選択するために心音信号から１０乃至１００Ｈｚをカットオフするように意図されている。所定の周波数範囲は、心音信号の一部のセグメントが特定の周波数範囲に対応するかなり顕著なエネルギーを有するように、心音信号のエネルギーに従って予め規定される。心音信号をフィルタリングするステップの後に、一部の高周波数ノイズ（例えば、肺音）及び一部の低周波数ノイズ（例えば、ベースラインドリフト）が除かれることが可能である。
−  セグメントの平均振幅変化率が所定の変化率閾値に比べて高い場合に、波帯からセグメントを抽出するステップ。例えば、所定の変化率閾値より高い平均振幅変化率を有する５乃至１０％のセグメントが、その波帯から抽出される。通常は、心音波のセグメントであって、例えば、Ｓ１、Ｓ２、Ｓ３、Ｓ４、雑音は、振幅変化がベースライン部分に比べて大きいピーク／谷に対応する。前記抽出するステップは更に、隣接するブロックを結合し、続いて、各々のセグメントのエッジをスムージングするように意図されることが可能である。
【００２３】
セグメント化するステップの第２の実施形態は、エベログラム（ｅｖｅｌｏｇｒａｍ）に基づいて心音信号をセグメント化するように意図されている。第２の実施形態に基づいて、そのセグメント化するステップは次のステップを有する。
−  エベログラムに対して心音信号をフィルタリングするステップ。そのフィルタリングするステップは、ヒルベルト変換、準同型変換又は曲線フィッティング変換により実行されることが可能である。曲線フィッティング変換について説明する。心音信号波形において、複数の外れ値点、例えば、複数の極大値点は容易に検出されることが可能であり、故に、Ｂ-スプライン曲線、放物線曲線、ベジェ曲線である二次曲線が、その場合に、エベログラムを構築するようにそれらの極大値点を接続するように用いられることが可能である。
−  心音信号のピーク点の周囲の領域の平均振幅が所定の振幅閾値を上回る場合、エベログラムからセグメントを抽出するステップ。その抽出するステップは更に、隣接するブロックを結合し、次いで、各々のセグメントのエッジをスムージングするように意図されることが可能である。
【００２４】
図４は、セグメント化するステップの第１の実施形態及び第２の実施形態に従ったセグメント化された心音信号を示すグラフである。Ｘ座標は時間を表し、Ｙ座標は振幅を表す。
【００２５】
（３）各々のセグメントの１３個の属性情報を特定するステップ
その属性情報には、各々のセグメントの種類、各々のセグメントの持続時間、各々のセグメントのタイミング、各々のセグメントの振幅、各々のセグメントの強度等がある。各々のセグメントの種類は、Ｓ１、Ｓ２、Ｓ３、Ｓ４及び雑音であることが可能である。
【００２６】
特定するステップ１３は、各々のセグメントの波形、複数のセグメントの関係、又は心音信号のＰＣＧとの心電図（以下ではＥＣＧという）の組み合わせに従って、各々のセグメントの属性情報を特定し、ＥＣＧの信号は心音信号と同期するように意図されることが可能である。特定するステップ１３についての説明のために、次に４つの実施例を示す。
【００２７】
特定化するステップについての第１の実施例は、複数のセグメントの関係に基づいている。この実施形態においては、特定化するステップは次のステップを有する。
−  統計的ヒストグラムを構成する複数のセグメントの複数のピーク点間の間隔を決定するステップであって、それらの間隔は異なる間隔範囲に分割され、その統計的ヒストグラムは、各々の間隔範囲の出現頻度を反映している、ステップ。
【００２８】
図５は、セグメントの各々の間隔範囲の出現頻度を示す統計的ヒストグラムである。
−  統計的ヒストグラムにおけるＳ１セグメントとＳ２セグメントとの間の間隔範囲を決定するステップであって、間隔Ｓ１−Ｓ２の出現頻度が統計的ヒストグラムにおいて最も高い、ステップ。間隔Ｓ１−Ｓ２は、短い期間であって、例えば、１０秒間安定していて、故に、その統計的ヒストグラムにおいて、間隔Ｓ１−Ｓ２は通常、最も頻度高く出現する。図５においては、２０００乃至２５００個のサンプルユニットにおける間隔（又は、８ｋＨｚのサンプリング速度において０．２５乃至０．３１秒）は６回現れ、それは最も高い出現頻度であり、間隔Ｓ１−Ｓ２として決定されることが可能である。図５においては、Ｘ座標は時間を表し、Ｙ座標は振幅を表している。
−  統計的ヒストグラムにおけるＳ２セグメントとＳ１セグメントとの間の間隔範囲（以下では、間隔Ｓ２−Ｓ１という）を決定するステップであって、間隔Ｓ２−Ｓ１の出現頻度は間隔Ｓ１−Ｓ２の出現頻度より単に小さい、ステップ。同様に、間隔Ｓ２−Ｓ１も、短い時間期間においては安定であり、間隔Ｓ１−Ｓ２より長い。図５においては、５５００−６０００サンプルユニットにおける間隔（又は８ｋＨｚのサンプリング速度においては０．６９乃至０．７５秒）は５回現れ、それはＳ１−Ｓ２間隔の出現頻度より単に小さく、故に、間隔Ｓ２−Ｓ１として決定される。
−  間隔Ｓ１−Ｓ２及び間隔Ｓ２−Ｓ１に基づいて、Ｓ１セグメント及びＳ２セグメントを決定するステップ。Ｓ１セグメント及びＳ２セグメントは、Ｓ１―Ｓ２間隔及びＳ２−Ｓ１間隔に基づいて心音信号波を全て探索することにより特定される。例えば、何れかの２つの連続的なピーク間の間隔が図５に示されているようなＳ１−Ｓ２間隔の範囲内、例えば、２０００乃至２５００サンプルユニットの範囲内にある場合、前のピークに対応するセグメントはＳ１として決定され、次のピークはＳ２に対応する。
−  Ｓ３セグメント、Ｓ４セグメント及び雑音の心音周期及び位置情報における決定されたＳ１及びＳ２に基づいて、Ｓ３セグメント、Ｓ４セグメント及び雑音を決定するステップ。
−  Ｎ１セグメント、Ｔ１セグメント、Ａ２セグメント及びＰ２セグメントを特定するように、準同型フィルタリング及びピーク検出を実行することにより、Ｓ１セグメント及びＳ２セグメントの分割を決定するステップ。
−  各々のセグメントについての持続時間、振幅、タイミング及び強度を決定するステップ。
【００２９】
特定するステップ１３についての第２実施形態は各々の波形に基づいている。上記特定するステップは、次のステップを有することが可能である。
−  Ｓ１セグメント及びＳ２セグメントに沿ってピークを検出することによりそれらのセグメントを決定するステップであって、Ｓ１セグメント及びＳ２セグメントは、エンベログラム（ｅｎｖｅｌｏｇｒａｍ）における第１最大ピーク及び第２最大ピークに対応する、ステップ。エンベログラムは、上記セグメント化するステップ１２の間に構成される（上記セグメント化するステップの第２実施形態）。
−  同じ心音周期において決定されたＳ１及びＳ２、並びにＳ３セグメント、Ｓ４セグメント及び雑音に基づいて、Ｓ３セグメント、Ｓ４セグメント及び雑音を決定するステップ。
−  準同型フィルタリング及びピーク検出を実行することにより、Ｓ１及びＳ２の分割を決定するステップ。
−  各々のセグメントの波形に従って各々の抽出されたセグメントについての持続時間、振幅、タイミング及び強度を決定するステップ。
【００３０】
上記特定するステップ１３についての第２実施形態は、各々のセグメントの波形に基づいている。この実施形態においては、上記特定するステップ１３は次のステップを有する。
−  少なくとも１つの心音信号の心音周期を検出するステップ。
−  隠れマルコフモデル（ＨＭＭ）、ニューラルネットワーク又は線形／動的時間伸縮法により心音信号における各々のセグメントの種類を決定するステップ。セグメントの種類は、Ｓ１セグメント、Ｓ２セグメント、Ｓ３セグメント、Ｓ４セグメント、雑音等であり得る。
−  Ｍ１セグメント、Ｔ１セグメント、Ａ２セグメント及びＰ２セグメントを特定するように、準同型フィルタリング及びピークを実行することにより、Ｓ１セグメント及びＳ２セグメントの分割を決定するステップ。
【００３１】
上記特定するステップ１３についての第４実施形態は、ＥＣＧ及び対応する同期化されたＰＣＧの結合に基づいている。この実施形態においては、上記特定するステップ１３は次のステップを有することが可能である。
−  ＥＣＧを受信するステップであって、少なくとも１つの心音信号及びＥＣＧの信号は同期している、ステップ。
−  ＥＣＧの重要点を検出するステップであって、それらの重要点は、Ｓオンセット、Ｓオフセット、Ｔオンセット、Ｔオフセットを有し、ＥＣＧのＳオフセットはＳ１セグメントの開始を示し、Ｔオフセットは時間領域のＳ２セグメントの開始に対応している、ステップ。
−  各々のセグメントの種類を決定するように、ＰＣＧのセグメントに対してＥＣＧの重要点をマッピングするステップ。Ｓオンセット及びＴオフセットは、ウェーブレット変換、隠れマルコフモデル等のような多くの方法により、ＷＣＧ信号において検出されることが可能である。そしてＥＣＧとＰＣＧとの間の関係に基づいて、Ｓ１及びＳ２の開始点が決定されることが可能である。図６は、ＥＣＧと対応する同期化されたＰＣＧとの間の関係を示すグラフである。
−  同じ心音信号周期において決定されたＳ１及びＳ２、並びにＳ３セグメント、Ｓ４セグメント及び雑音の位置情報に基づいて、Ｓ３セグメント、Ｓ４セグメント及び雑音を決定するステップ。
−  Ｍ１セグメント、Ｔ１セグメント、Ａ２セグメント及びＰ２セグメントを特定するように、準同型フィルタリング及びピークを実行することにより、Ｓ１セグメント及びＳ２セグメントの分割を決定するステップ。
−  各々のセグメントの波形に従って各々の抽出されたセグメントについての持続時間、振幅、タイミング及び強度を決定するステップ。
【００３２】
（４）各々のセグメントに対応する属性情報の注釈付けするステップ。
【００３３】
注釈付けするステップ１４は、特定された属性情報に従って、各々のセグメントにＳ１、Ｓ２、Ｓ３、Ｓ４又は雑音の種類の注釈付けするように意図されている。上記注釈付けするステップ１４は更に、各々のセグメントに特定された属性情報に従って、振幅、持続時間、強度等を注釈付けするように意図されている。
【００３４】
（５）心音信号について注釈付けされたＰＣＧを出力するステップ。
【００３５】
出力されたＰＣＧは複数のセグメントを有し、各々のセグメントは、ひとが心音信号の課題を簡便に且つ正確に認識することができるように、対応する種類、振幅、持続時間、強度、タイミング等の注釈が付けられる。
【００３６】
注釈付けされた心音図は、バー形状図の形式で表示されるようになっていて、バーの高さは各々のセグメントの平均振幅であり、バーの幅は各々のセグメントの持続時間を表す。
【００３７】
図７は２つの注釈が付けられたＰＣＧ、即ち、ノイズとして扱われる再現性のないセグメントを示していて、それらのセグメントは“？”で表されている。図７においては、２つの注釈が付けられたＰＣＧが、大動脈（Ｓ２）領域及び三尖弁（Ｓ１）領域の心音源からもたらされ、故に、Ｓ３セグメント及びＳ４セグメントは示すには小さ過ぎる。
【００３８】
少なくとも１つの心音信号を処理する方法は更に、比較するステップ及び生成するステップ（図１には示していない）を有する。
【００３９】
（６）比較するステップ
比較結果を得るように、２つの注釈付けされたＰＣＧを比較して、少なくとも１つの心音信号が複数の心音信号を有する場合、複数の心音信号は異なる心音源のそれぞれからもたらされる。その比較結果は、互いと比較された何れかの２つの注釈付けされたＰＣＧの類似性及び相違性を有する。
【００４０】
図８は、複数の心音信号を検出する複数のセンサの配置の模式図である。その配置は５つの組み合わされたセンサを有し、全ての組み合わされたセンサはＰＣＧセンサ及びＥＣＧセンサを有することが可能である。それらの５つの組み合わされたセンサは、心音信号を検出するように、大動脈領域８１、肺領域８２、エルブ（ｅｒｂ）点８３、三尖弁領域８３及び僧帽弁８５のそれぞれに位置付けられている。
【００４１】
注釈を付けるステップ１４は更に、比較ＰＣＧを構成する互いに比較される複数のＰＣＧの何れかの一における比較結果に注釈付けするように意図されている。
【００４２】
出力するステップ１５は比較ＰＣＧを出力するように意図されている。図９は、大動脈領域ＰＣＧと三尖弁ＰＣＧとについての比較ＰＣＧを示し、そのＸ座標は時間を表し、Ｙ座標は振幅を表している。
【００４３】
その比較するステップは、２つの注釈付けされたＰＣＧの持続時間及び平均振幅を比較するように意図されている。例えば、一の注釈付けされたＰＣＧは三尖弁（以下においては、ＰＣＧ＿Ｔと表されている）からのものであり、他の注釈付けされたＰＣＧは大動脈（以下においては、ＰＣＧ＿Ａと表されている）からのものである。ＰＣＧ＿Ａにおいては、Ｓ２はより大きい振幅及びより長い持続時間を有し、故に、ＰＣＧ＿ＡのＳ２はより容易に特定され、従って、注釈付けするステップ１４は、比較ＰＣＧにおけるＳ２セグメントについて“ＰＣＧ＿Ａにおいてより広い及び高い”と注釈付けするように意図されている。一部の場合は、Ｓ２はＰＣＧ＿Ｔにおいて検出されないが、Ｓ２はＰＣＧ＿Ａにおいて正確に特定されることが可能であり、従って、注釈付けするステップ１４は、このＳ２セグメントについて“ＰＣＧ＿Ａのみにおいて”を比較ＰＣＧにおいて注釈付けするように意図されている。比較ＰＣＧは、ＰＣＧ＿Ａ又はＰＣＧ＿Ｔに基づいて生成されることが可能である。
【００４４】
比較ＰＣＧに基づく互いによる２つのＰＣＧの補足は、単独のチャネルのＰＣＧを用いることに比べてより正確な情報を提供することができる。更に、異常な心音、例えば、Ｓ３、Ｓ４及び雑音の存在は、比較ＰＣＧに基づいて都合良く決定されることが可能である。
【００４５】
一部の再現性のある心音が、ＰＣＧ＿Ａにおいてではなく、ＰＣＧ＿Ｔにおいて検出され、再現性のある心音のセグメントは“ＰＣＧ＿Ｔにみにおいて”と注釈付けされ、そのことは、それらの再現性のある心音がノイズでないことを示し、その心音源は三尖弁領域の近くであるが、大動脈領域から遠いところにあることを示している。更に、複数種類の雑音であって、例えば、収縮器駆出雑音、心室流出閉塞雑音、収縮器逆流雑音、心室中隔欠損雑音等が、Ｓ１セグメント及びＳ２セグメントとの間に現れる。そのような雑音はＰＣＧ＿Ｔにおいては容易に聞き取れるが、ＰＣＧ＿Ａにおいては区別可能でないため、比較ＰＣＧは心室中隔欠損をかなりよく反映する。このようにして、医師は、心臓の状態に対して迅速な且つ正確な結論に到達することができる。
（７）生成するステップ
−  心音信号から心周期サンプルを抽出することにより心音信号についての心拍情報テーブルを生成するステップであって、心拍情報テーブルは、異なる心拍カテゴリと、各々の心拍カテゴリについての典型的な心周期ＰＣＧと、図１に示しているようなステップ１２乃至１４により構成される各々の心拍についての注釈付けされた心周期ＰＣＧとを有する、ステップ。
【００４６】
出力するステップ１５はまた、心音信号についての心拍情報テーブルを出力するように意図されている。
【００４７】
心周期サンプルは、ＥＣＧ信号と同期する心音信号のＰＣＧ及びＥＣＧを組み合わせることにより抽出される。
【００４８】
生成するステップは次のようなステップを有する。
−  ＥＣＧ信号を受信するステップであって、ＥＣＧ信号及び心音信号は同期している、ステップ。
−  心音信号のＰＣＧ及びＥＣＧの両方についての拍動の区切りとしてのＲピーク及びＰ波の出現の周期性を利用することにより、心音信号から心周期サンプルを抽出するステップであって、Ｒ波はＥＣＧ波形に沿った最も急な波形であり、ＲピークはＲ波のピーク点である。
【００４９】
図１０は、心音信号から心周期サンプルを抽出することを示す模式的なグラフである。２つの連続的なＲピークのＥＣＧ２つの領域、即ち、Ｒ−Ｒ間隔ＥＣＧは心臓の拍動であり、Ｒ−Ｒ間隔における領域は心周期サンプルと称されている。
−  各々の心周期サンプルについての心拍を演算するステップ。例えば、心周期が１秒である場合、その心周期に対応する心拍は６０拍動／分である。
−  異なる心拍カテゴリに心周期サンプルを分類するステップであって、同じ心拍カテゴリにおける心周期は同じ心拍を有する、ステップ。
−  心拍について典型的な心周期ＰＣＧを生成することに同じ心拍の全ての心周期サンプルを加えることによりノイズを除くステップ。例えば、ノイズを除くように心周期サンプルの振幅値の整列されたビットを直接加える。心周期サンプルは、一心周期と他の心周期との間で再現性があり、強い類似性を示すＳ１、Ｓ２、Ｓ３、Ｓ４及び雑音（雑音が存在する場合には）を有する。上記除くステップは、心周期サンプルの品質には影響しない。他方、ノイズはガウス分布状であり、蓄積動作により妨げられる。心周期サンプルを加えることにより生成される新しいデータシーケンスは、それらの心周期サンプルに比べて大きいＳＮＲ（信号−ノイズ比）を有する典型的な心周期と称されている。心周期サンプルがたくさん蓄積されればされる程、より大きいＳＮＲが得られる。例えば、２０心周期サンプルが同じ心拍カテゴリについてまとめられた場合、ＳＮＲは約２０ｄＢに増加する。同じ心拍については、心周期サンプルの長さは殆ど同じであることに留意する必要がある。従って、心周期サンプルは、少数の切り捨て／拡大の有無に拘わらず、合算されることが可能である。
−  心拍情報テーブルを生成するステップであって、心拍情報テーブルは異なる心拍カテゴリと、各々の心拍カテゴリについての典型的な心周期ＰＣＧと、各々の心拍カテゴリについて注釈付けされた心周期ＰＣＧとを有する、ステップ。図１１は、典型的な心周期ＰＣＧ及び注釈付けされた心周期ＰＣＧについての心拍情報テーブルを示していて、Ｙ軸は振幅を表し、Ｘ軸は時間を表している。
【００５０】
心拍情報テーブルに基づいて、一部の雑音、例えば、この実施例における収縮期雑音（ＳＭ）はより少ない心拍、即ち、６０ｂｐｍ（６０拍動／分）において観測され得、その場合、Ｓ１とＳ２との間の間隔はより長くなり、Ｓ１及びＳ２の強度はより小さくなる。より多い心拍、例えば、９０ｂｐｍ以上の心拍においては、収縮期雑音は、Ｓ１−Ｓ２間隔がより短くなり、それらＳ１及びＳ２の平均強度がより大きくなるために、Ｓ１及びＳ２において群れている。他の異常な心音、例えば、Ｓ３は、少ない心拍においては弱いが、心拍が増加するにつれて、強調される（例えば、１２０ｂｐｍ）ようになり、典型的な心周期ＰＣＧ及び注釈付けされた心周期ＰＣＧにおいて検出され得る。これは、Ｓ３が血液量及び血流速度に関連付けられることによるものである。心拍が多くなればなる程、血流速度は速くなり、また、典型的な心周期ＰＣＧ及び注釈付けされた心周期ＰＣＧにおいてより容易に検出可能なＳ３をもたらす。
【００５１】
心拍情報テーブルが提示されるとき、ひとは更に、異常な心音を容易に特定することが可能になり、どのような心拍において患者の心臓状態が悪化するかを学習することが可能である。
【００５２】
胸部の異なる聴診領域における心音が、複数の心音センサを用いて得られ、同じ方法で処理されることが可能である。心拍情報テーブルは、１つのみの聴診領域の場合に比べてひとに対してより多くの情報を与えることが可能である複数の聴診領域についての心音情報を有することが可能である。
【００５３】
図１２は、聴診器を示す模式図である。聴診器２０は、検出装置２１と、処理システム２３と、処理システム２３に検出装置２１を接続するコネクタ２２とを有する。
【００５４】
検出装置２１は１つ又はそれ以上のＰＣＧセンサ２１１を有する。図１２においては、３つのＰＣＧセンサ２１１が心音信号を検出するために示されている。検出装置２１はまた、１つ又はそれ以上のＥＣＧセンサを有し、図１２においては、ＥＣＧセンサ２１２は示されていない。他の実施形態においては、検出装置２１は複数のＥＣＧセンサを有することが可能であり、各々のＥＣＧセンサは、ＥＣＧ信号及びＰＣＧ信号を同期して検出するように身体の同じ位置に触れるためのＰＣＧセンサに結合されている。信号検出装置２１は身体上を移動される又は身体上に吸着されることが可能である。ＥＣＧセンサ及びＰＣＧセンサの各々の組み合わせは身体上を移動される又は身体上に吸着されることが可能である。
【００５５】
コネクタ２２は、ＥＣＧ信号と、信号検出装置２１の音センサから処理システム２３へのＥＣＧセンサにより検出された心音信号とを送信するように、処理システム２３に信号検出装置２１を接続するように用いられる。
【００５６】
処理システム２３は、信号検出装置２１からの心音信号及びＥＣＧ信号を処理するように用いられる。処理システム２３は、処理システム２３が出力する処理結果をプリントする又は表示するように外部プリンタに接続されることが可能である。
【００５７】
聴診器２０は更に、信号検出装置２１の音センサ２１１により検出される心音を聴くひとにより用いられるイヤホンを有することが可能である。
【００５８】
図１３は、図１２の聴診器に従って少なくとも１つの心音信号を処理する処理システムを示している。処理システム２３は、検出装置２１から少なくとも１つのＥＣＧ信号及び少なくとも１つの心音信号を受信する受信ユニット２３１と、少なくとも１つの心音信号を複数のセグメントにセグメント化するセグメント化ユニット２３２と、各々のセグメントについての属性情報を特定する特定化ユニット２３３と、対応する属性情報を各々のセグメントに注釈付けする注釈付けユニット２３４と、それらのセグメントについて注釈付けされた心音図を出力する出力ユニット２３５とを有する。
【００５９】
注釈付けされたＰＣＧはより理解可能であり、故に、ひとは簡便に且つ正確に診断を行うことができる。
【００６０】
（１）受信ユニット２３１は、少なくとも１つの心音信号を受信するように用いられる。
【００６１】
少なくとも１つの心音信号は、１つの心音信号、又は異なる心音源からもたらされる複数の心音信号を有することが可能である。複数の心音信号は２つ又はそれ以上の心音信号であることが可能である。各々の心音信号は、例えば、僧帽弁領域、三尖弁領域、拝領域等の心音源に位置付けられた音センサにより検出される。
【００６２】
心音信号は、異なる種類の信号セグメントであって、例えば、Ｓ１セグメント、Ｓ２セグメント、Ｓ３セグメント、Ｓ４セグメント、雑音セグメントに属す複数のセグメントを有することが可能である。Ｓ１は、僧帽弁及び三尖弁の閉鎖によりもたらされ、Ｓ２は、大動脈弁及び肺弁の閉鎖中に生じ、Ｓ３は、初期の拡張期中の高速心室充填によるものであり、Ｓ４は、拡張された心室に変位した心房収縮血液の結果として生じ、雑音は、乱流血流によりもたらされ得る。Ｓ１は、僧帽弁によりもたらされるＭ１及び三尖弁によりもたらされるＴ１を更に有し得、Ｓ２は、大動脈によりもたらされるＡ２及び肺弁によりもたらされるＰ２を更に有し得る。
【００６３】
少なくとも１つの心音信号は生心音信号であり、図１３にＲＳとして示されている。
【００６４】
（２）セグメント化ユニット２３２は、少なくとも１つの心音信号を複数のセグメントにセグメント化するために用いられる。
【００６５】
少なくとも１つの心音信号が複数の心音信号を有する場合、セグメント化するステップ１２は、複数の心音信号を別個にセグメント化するように用いられる。
【００６６】
セグメント化ユニット２３２は、セグメントの平均振幅変化率が所定の変化率閾値より大きい場合であって、その波域が所定の周波数領域にある場合に、心音信号の波域を選択し、その波域からセグメントを抽出するバンドパスフィルタにより心音信号をフィルタリングするように、若しくは、心音信号のピーク点の周囲の領域の平均振幅が所定の振幅閾値を上回る場合に、エンベログラムに対して心音信号をフィルタリングし、エンベログラムからセグメントを抽出するように、少なくとも１つの心音信号をセグメント化するように用いられることが可能である。
【００６７】
（３）特定化ユニット２３３は、各々のセグメントについての属性情報を特定するように用いられる。
【００６８】
属性情報は、各々のセグメントの種類、各々のセグメントの持続時間、各々のセグメントのタイミング、各々のセグメントの振幅、各々のセグメントの強度等を有する。各々のセグメントの種類はＳ１、Ｓ２、Ｓ３、Ｓ４及び雑音であり得る。
【００６９】
特定化ユニット２３３は、各々のセグメントの波形、複数のセグメントの関係、心音信号のＰＣＧとＥＣＧの結合に従って各々のセグメントの属性情報を特定するように用いられることが可能であり、ＥＣＧ信号は心音信号と同期している。
【００７０】
（４）注釈付けユニット２３４は、対応する属性情報を各々のセグメントに注釈付けするように用いられる。
【００７１】
注釈付けユニット２３４は、特定された属性情報に従って、Ｓ１、Ｓ２、Ｓ３、Ｓ４又は雑音の種類を各々のセグメントに注釈付けするように用いられる。注釈付けユニット２３４は、特定された属性情報に従って、振幅、持続時間、強度等を各々のセグメントに注釈付けするように更に用いられる。
【００７２】
（５）出力ユニット２３５は、少なくとも１つの心音信号について注釈付けされたＰＣＧを出力するように用いられる。
【００７３】
出力される心音図は複数のセグメントを有し、各々のセグメントは、対応する種類、振幅、持続時間、強度及びタイミング等が注釈付けされ、故に、ひとは、心音信号の課題を連続的に及び正確に認識することができる。注釈付けされたＰＣＧが図１３にＡＰとして示されている。
【００７４】
注釈付けされた心音図は、バー形状の図の形で示されるようになっていて、バーの高さは各々のセグメントの平均振幅を表し、バーの幅は各々のセグメントの持続時間を表す。
【００７５】
少なくとも１つの心音信号を処理する処理システム２３は、比較ユニット及び生成ユニットを更に有する（図１３には示されていない）。
【００７６】
（６）比較ユニット
比較ユニットは、少なくとも１つの心音信号が複数の心音信号を有する場合に、比較結果を得るように２つの注釈付けされたＰＣＧを比較するように用いられ、複数の心音信号は、異なる心音源のそれぞれからもたらされる。比較結果は、互いと比較される何れかの２つの注釈付けされたＰＣＧの類似性及び相違性を有する。
【００７７】
注釈付けユニット２３４は、比較ＰＣＧを構成するように互いと比較されるＰＣＧの何れか一において比較結果を注釈付けするように更に用いられる。
【００７８】
出力ユニット２３５は更に、比較ＰＣＧを出力するように意図されている。
【００７９】
比較ユニットは、２つの注釈付けされたＰＣＧの平均振幅及び持続時間を比較するように用いられる。例えば、一の注釈付けＰＣＧは三尖弁領域（以下ではＰＣＧ＿Ｔと表されている）からのものであり、他の注釈付けされたＰＣＧは大動脈領域（以下ではＰＣＧ＿Ａと表されている）からのものである。ＰＣＧ＿Ａにおいては、Ｓ２はより大きい振幅及びより長い持続時間を有し、故に、ＰＣＧ＿ＡのＳ２はより容易に特定されることができ、従って、注釈付けユニット２３４は、比較ＰＣＧにおけるこのＳ２セグメントについて“ＰＣＧ＿Ａにおいてより広い及びより高い”と注釈付けするように意図されている。一部の場合には、Ｓ２はＰＣＧ＿Ｔにおいては検出されないが、Ｓ２は、ＰＣＧ＿Ａにおいて正確に特定されることが可能であり、従って、注釈付けユニット２３４は、このＳ２セグメントについて“ＰＣＧ＿Ａのみにおいて”を比較ＰＣＧにおいて注釈付けするように意図されている。
【００８０】
比較ＰＣＧに基づいて、２つのＰＣＧは、単一チャネルのＰＣＧを用いる場合に比べてより正確な情報を提供するように、互いに補い合う。更に、異常心音、例えば、Ｓ３、Ｓ４及び雑音の存在が、比較ＰＣＧに基づいて簡便に決定されることが可能である。
【００８１】
一部の再現性のある心音が、ＰＣＧ＿Ａにおいてではなく、ＰＣＧ＿Ｔにおいて検出され、再現性のある心音のセグメントは“ＰＣＧ＿Ｔにみにおいて”と注釈付けされ、そのことは、それらの再現性のある心音がノイズでないことを示し、その心音源は三尖弁領域の近くであるが、大動脈領域から遠いところにあることを示している。更に、複数種類の雑音であって、例えば、収縮器駆出雑音、心室流出閉塞雑音、収縮器逆流雑音、心室中隔欠損雑音等が、Ｓ１セグメント及びＳ２セグメントとの間に現れる。そのような雑音はＰＣＧ＿Ｔにおいては容易に聞き取れるが、ＰＣＧ＿Ａにおいては区別可能でないため、比較ＰＣＧは心室中隔欠損をかなりよく反映する。このようにして、医師は、心臓の状態に対して迅速な且つ正確な結論に到達することができる。
【００８２】
（７）生成ユニット
生成ユニットは、心音信号から心周期サンプルを抽出することにより心音信号についての心拍情報テーブルを生成するように用いられ、心拍情報テーブルは、異なる心拍カテゴリ、各々の心拍カテゴリについての典型的な心周期ＰＣＧを有する。
【００８３】
出力ユニット２３５は、心音信号についての心拍情報テーブルを出力するようにも意図されている。
【００８４】
心周期サンプルは、ＥＣＧ信号と同期している心音信号のＰＣＧ及びＥＣＧを結合することにより抽出される。
【００８５】
生成ユニットは、次の方法により心拍情報テーブルを生成するように意図されることが可能である。
−  ＥＣＧ信号を受信するステップであって、ＥＣＧ信号及び心音信号は同期している、ステップ。
−  心音信号のＰＣＧ及びＥＣＧの両方についての拍動の区切りとしてのＲピーク及びＰ波の出現の周期性を利用することにより、心音信号から心周期サンプルを抽出するステップであって、Ｒ波はＥＣＧ波形に沿った最も急な波形であり、ＲピークはＲ波のピーク点である、ステップ。
−  各々の心周期サンプルについての心拍を演算するステップ。例えば、心周期サンプルが１秒である場合、その心周期に対応する心拍は６０拍動／分である。
−  心周期サンプルを異なる心拍カテゴリに分類するステップであって、同じ心拍カテゴリの心周期サンプルは同じ心拍を有する、ステップ。
−  心拍について典型的な心周期ＰＣＧを生成することに同じ心拍の全ての心周期サンプルを加えることによりノイズを除くステップ。例えば、ノイズを除くように心周期サンプルの振幅値の整列されたビットを直接加える。心周期サンプルは、一心周期と他の心周期との間で再現性があり、強い類似性を示すＳ１、Ｓ２、Ｓ３、Ｓ４及び雑音（雑音が存在する場合には）を有する。上記除くステップは、心周期サンプルの品質には影響しない。他方、ノイズはガウス分布状であり、蓄積動作により妨げられる。心周期サンプルを加えることにより生成される新しいデータシーケンスは、それらの心周期サンプルに比べて大きいＳＮＲ（信号−ノイズ比）を有する典型的な心周期と称されている。心周期サンプルがたくさん蓄積されればされる程、より大きいＳＮＲが得られる。例えば、２０心周期サンプルが同じ心拍カテゴリについてまとめられた場合、ＳＮＲは約２０ｄＢに増加する。同じ心拍については、心周期サンプルの長さは殆ど同じであることに留意する必要がある。従って、心周期サンプルは、少数の切り捨て／拡大の有無に拘わらず、合算されることが可能である。
−  心拍情報テーブルを生成するステップであって、心拍情報テーブルは異なる心拍カテゴリと、各々の心拍カテゴリについての典型的な心周期ＰＣＧと、各々の心拍カテゴリについて注釈付けされた心周期ＰＣＧとを有する、ステップ。
【００８６】
そのような心拍情報テーブルが提示されるとき、ひとは、異常な心音を容易に特定することが可能であり、患者の心臓の状態が悪化する心拍において更に学習することが可能である。
【００８７】
上記の実施形態は本発明を制限するのではなく、例示としてのものであり、当業者は、同時提出の特許請求の範囲から逸脱することなく代替の実施形態をデザインすることができることに留意する必要がある。用語“を有する”は、特許請求の範囲又は明細書において列挙されていない要素又はステップの存在を排除するものではない。要素の単数表現はそのような要素の複数の存在を排除するものではない。本発明は、複数の別個の要素を有するハードウェアユニットにより、及びプログラムされたコンピュータユニットにより実行されることが可能である。複数のユニットを列挙している装置請求項においては、それらのユニットの幾つかが、ハードウェア又はソフトウェアの同一のアイテムにより具現化されることが可能である。第１、第２、第３等の用語の使用は、何れかの順序付けを表すものではない。それらの用語は、名称として解釈されるべきものである。
【図１】
2012513858.tif 000003
【図２】
2012513858.tif 000004
【図３】
2012513858.tif 000005
【図４】
2012513858.tif 000006
【図５】
2012513858.tif 000007
【図６】
2012513858.tif 000008
【図７】
2012513858.tif 000009
【図８】
2012513858.tif 000010
【図９】
2012513858.tif 000011
【図１０】
2012513858.tif 000012
【図１１】
2012513858.tif 000013
【図１２】
2012513858.tif 000014
【図１３】
2012513858.tif 000015
【手続補正書】
【提出日】平成23年7月1日(2011.7.1)
【手続補正１】
【補正対象書類名】特許請求の範囲
【補正対象項目名】全文
【補正方法】変更
【補正の内容】
【特許請求の範囲】
【請求項１】
少なくとも１つの心音信号を処理する方法であって：
前記少なくとも１つの心音信号を受信するステップ；
前記心音信号を複数のセグメントにセグメント化するステップ；
各々のセグメントについての属性情報を特定するステップ；
各々のセグメントに対応する属性情報を注釈付けするステップ；
前記少なくとも１つの心音信号について注釈付けされた心音図を出力するステップ；及び
前記少なくとも１つの心音信号が複数の心音信号を有し、前記複数の心音信号が異なる複数の心音源のそれぞれからもたらされる場合に、比較結果を得るように２つの注釈付けされた心音図を比較するステップ；
を有する方法であり、
前記注釈付けするステップは、比較心音図を生成するように互いに比較される前記複数の心音図の何れか一に関する前記比較結果を注釈付けするように更に意図され；
前記出力するステップは、前記比較心音図を出力するように更に意図されている；
方法。
【請求項２】
請求項１に記載の方法であって、前記セグメント化するステップは、
セグメントの平均振幅変化率が所定の変化率閾値より大きい場合に、前記心音信号の波域を選択するためにバンドパスフィルタにより前記心音信号をフィルタリングして、前記波域からセグメントを抽出するステップであって、前記波域は所定の周波数領域である、ステップ、又は
前記心音信号のピーク点の周囲の領域の平均振幅が所定の振幅閾値を上回る場合に、エンベログラムに前記心音信号をフィルタリングして、前記エンベログラムからセグメントを抽出するステップ
により少なくとも１つの心音信号をセグメント化するように意図されている、方法。
【請求項３】
請求項１に記載の方法であって、前記特定するステップは、各々のセグメントの波形に従った各々のセグメントの属性情報、複数のセグメントの関係、又は心電図の前記少なくとも１つの心音信号の心音図との組み合わせを特定するように意図されていて、前記心電図の信号は前記少なくとも１つの心音信号と同期する、方法。
【請求項４】
請求項１に記載の方法であって；
前記心音信号から心周期サンプルを抽出することにより前記心音信号についての心拍情報テーブルを生成するステップであって、前記心拍情報テーブルは異なる心拍カテゴリ、各々の心拍カテゴリについての典型的な心周期心音図、及び各々の心拍についての注釈付けされた心周期心音図を有する、ステップ；
を更に有する方法であり、
前記出力するステップは、前記心音信号についての前記心拍情報テーブルを出力するように意図されている；
方法。
【請求項５】
請求項４に記載の方法であって、前記生成するステップは、前記少なくとも１つの心音信号の前記心音図と前記心電図を組み合わせることにより前記信州器サンプルを抽出するように意図され、前記心電図の信号は前記少なくとも１つの心音信号と同期している、方法。
【請求項６】
請求項６に記載の方法であって、前記生成するステップは：
各々の心周期についての心拍を演算し；
前記信州器サンプルを異なる心拍カテゴリに分類し；
前記心拍カテゴリについての典型的な心周期心音図を生成するように同じ心拍カテゴリの全ての心周期サンプルを共に加えることによりノイズを除き；及び
前記心拍情報テーブルを生成する；
ように意図されている、方法であり、
同じ心拍カテゴリにおける複数の心周期サンプルは同じ心拍を有する；
方法。
【請求項７】
請求項１に記載の方法であって、前記属性情報は、各々のセグメントの種類、各々のセグメントの持続時間、各々のセグメントのタイミング、各々のセグメントの振幅、及び／又は各々のセグメントの強度を有する、方法。
【請求項８】
少なくとも１つの心音信号を処理する処理システムであって：
前記少なくとも１つの心音信号を受信する受信ユニット；
前記心音信号を複数のセグメントにセグメント化するセグメント化ユニット；
各々のセグメントについての属性情報を特定する特定化ユニット；
各々のセグメントに対応する属性情報を注釈付けする注釈付けユニット；
前記少なくとも１つの心音信号について注釈付けされた心音図を出力する出力ユニット；及び
前記少なくとも１つの心音信号が複数の心音信号を有し、前記複数の心音信号が異なる複数の心音源のそれぞれからもたらされる場合に、比較結果を得るように２つの注釈付けされた心音図を比較する比較ユニット；
を有する処理システムであり、
前記注釈付けユニットは、比較心音図を生成するように互いに比較される前記複数の心音図の何れか一に関する前記比較結果を注釈付けするように更に意図され；
前記出力ユニットは、前記比較心音図を出力するように更に意図されている；
処理システム。
【請求項９】
請求項８に記載の処理システムであって、前記セグメント化ユニットは、
セグメントの平均振幅変化率が所定の変化率閾値より大きい場合に、前記心音信号の波域を選択するためにバンドパスフィルタにより前記心音信号をフィルタリングして、前記波域からセグメントを抽出し；
前記心音信号のピーク点の周囲の領域の平均振幅が所定の振幅閾値を上回る場合に、エンベログラムに前記心音信号をフィルタリングして、前記エンベログラムからセグメントを抽出する；
ことにより、少なくとも１つの心音信号をセグメント化するように意図されている、方法であり、
前記波域は所定の周波数領域である；
方法。
【請求項１０】
請求項８に記載の処理システムであって、前記特定化ユニットは、各々のセグメントの波形に従った各々のセグメントの属性情報、複数のセグメントの関係、又は心電図の前記少なくとも１つの心音信号の心音図との組み合わせを特定するように意図されていて、前記心電図の信号は前記少なくとも１つの心音信号と同期する、処理システム。
【請求項１１】
請求項８に記載の処理システムであって；
前記心音信号から心周期サンプルを抽出することにより前記心音信号についての心拍情報テーブルを生成する生成ユニットであって、前記心拍情報テーブルは異なる心拍カテゴリ、各々の心拍カテゴリについての典型的な心周期心音図、及び各々の心拍についての注釈付けされた心周期心音図を有する、生成ユニット；
を更に有する処理システムであり、
前記出力ユニットは、前記心音信号についての前記心拍情報テーブルを出力するように意図されている；
処理システム。
【請求項１２】
請求項１１に記載の処理システムであって、前記生成ユニットは：
前記少なくとも１つの心音信号の前記心音図と前記心電図を組み合わせることにより前記信州器サンプルを抽出し；
各々の心周期についての心拍を演算し；
前記信州器サンプルを異なる心拍カテゴリに分類し；
前記心拍カテゴリについての典型的な心周期心音図を生成するように同じ心拍カテゴリの全ての心周期サンプルを共に加えることによりノイズを除き；
前記心拍情報テーブルを生成する；
ように意図されている処理システムであり、
前記心電図の信号は前記少なくとも１つの心音信号と同期し；
同じ心拍カテゴリにおける複数の心周期サンプルは同じ心拍を有する；
処理システム。
【請求項１３】
検出装置；及び
前記検出装置に請求項９乃至１２の何れか一項に記載の処理システムを接続するコネクタ；
を有する聴診器。
【国際調査報告】
2012513858.tif 000016
2012513858.tif 000017
2012513858.tif 000018